(57)【要約】本発明は、電気的な駆動装置のための共通の支持部分（３）を製造するための方法であって、しかも種々異なる軸方向長さおよび直径で製造可能である共通の支持部分（３）に底範囲（２）を形成する形式の方法に関する。本発明による方法は、共通の支持部分（３）に任意の組合せで機能範囲「電流供給部」（１４，１５；２６）、「ステータ磁界発生部」（１２，１３）、「支承部」（４，５，２３）および上位のシステムのための「ハウジング付加部」（６）が組込み可能であることを特徴としている。
2004537249.tif 000002
【特許請求の範囲】
【請求項１】
電気的な駆動装置のための共通の支持部分（３）を製造するための方法であって、しかも種々異なる軸方向長さおよび直径で製造可能である共通の支持部分（３）に底範囲（２）を形成する形式の方法において、共通の支持部分（３）に任意の組合せで機能範囲「電流供給部」（１４，１５；２６）、「ステータ磁界発生部」（１２，１３）、「支承部」（４，５，２３）および上位のシステムのための「ハウジング付加部」（６）が組込み可能であることを特徴とする、電気的な駆動装置のための共通の支持部分を製造するための方法。
【請求項２】
共通の支持部分（３）に機能範囲「電流供給部」（１４，１５；２６）および「ステータ磁界発生部」（１２，１３）を形成する、請求項１記載の方法。
【請求項３】
共通の支持部分（３）に機能範囲「電流供給部」（１４，１５；２６）および「支承部」（４，５，２３）を形成する、請求項１記載の方法。
【請求項４】
共通の支持部分（３）に機能範囲「電流供給部」（１４，１５；２６）および「ハウジング付加部」（６）を組み込む、請求項１記載の方法。
【請求項５】
共通の支持部分（３）に機能範囲「ステータ磁界発生部」（１２，１３）および「支承部」（４，５，２３）を組み込む、請求項１記載の方法。
【請求項６】
共通の支持部分（３）に機能範囲「ステータ磁界発生部」（１２，１３）および「ハウジング付加部」（６）を組み込む、請求項１記載の方法。
【請求項７】
共通の支持部分（３）に機能範囲「支承部」（４，５，２３）および「ハウジング付加部」（６）を組み込む、請求項１記載の方法。
【請求項８】
共通の支持部分（３）に機能範囲「電流供給部」（１４，１５；２６）、「ステータ磁界発生部」（１２，１３）および「支承部」（４，５，２３）を組み込む、請求項１記載の方法。
【請求項９】
共通の支持部分（３）に機能範囲「電流供給部」（１４，１５；２６）、「ステータ磁界発生部」（１２，１３）および「ハウジング付加部」（６）を組み込む、請求項１記載の方法。
【請求項１０】
共通の支持部分（３）に機能範囲「電流供給部」（１４，１５；２６）、「支承部」（４，５，２３）および「ハウジング付加部」（６）を組み込む、請求項１記載の方法。
【請求項１１】
共通の支持部分（３）に機能範囲「ステータ磁界発生部」（１２，１３）、「支承部」（４，５，２３）および「ハウジング付加部」（６）を組み込む、請求項１記載の方法。
【請求項１２】
共通の支持部分（３）に機能範囲「電流供給部」（１４，１５；２６）、「ステータ磁界発生部」（１２，１３）、「支承部」（４，５，２３）および「ハウジング付加部」（６）を組み込む、請求項１記載の方法。
【請求項１３】
共通の支持部分（３）を金属ダイカスト法により成形して製造する、請求項１から１２までのいずれか１項記載の方法。
【請求項１４】
共通の支持部分（３）をプラスチック射出成形法により成形して製造する、請求項１から１３までのいずれか１項記載の方法。
【請求項１５】
共通の支持部分（３）を金属薄板加工・変形加工により成形して製造する、請求項１から１４までのいずれか１項記載の方法。
【請求項１６】
共通の支持部分（３）を、自動車／実用車領域における可変伝動装置、流体ポンプ、ファン、ラジエータモジュールに電気的な駆動装置を取り付けるために使用する、請求項１から１５までのいずれか１項記載の方法。
【発明の詳細な説明】
【０００１】
技術分野
自動車では内燃機関が使用されるが、この内燃機関では、多数の電気機械、たとえばスタータ、三層交流発電機（オルタネータ）、ブロワモータもしくはファンモータ等が使用される。電気的な駆動装置、たとえば自動車におけるファンの駆動装置は、一般に互いに別個に製作された多数の構成アッセンブリ、すなわちたとえば電流供給部分ならびに保持部分または磁界発生コンポーネント、ブラスホルダ、軸受け構成部分または電界を発生させるための部分、たとえば磁石、永久磁石または励磁コイルから成っている。
【０００２】
背景技術
自動車におけるブロワもしくはファンの電気的な駆動装置は、一般に別個の構成アッセンブリ、たとえば電流供給のための構成アッセンブリ（ブラシホルダまたはブラシレスモータ用回路ボード）を有している。さらに、電気的な駆動装置では、ハウジング部分に軸受けの保持部が設けられなければならないと同時に、ステータ磁界発生部分、たとえば永久磁石または励磁コイルを位置固定するためのリブ、溝またはキーが設けられなければならない。これらの構成部分は電気的な駆動装置のハウジング内に収容されるので、永久磁石または励磁コイルをハウジングに相対回動不能に位置固定するための取付け部が必要となる。さらに、ハウジングにはカバーエレメントも必要となる。このカバーエレメントを用いて、ロータ軸を収容する第２の軸受けが電気的な駆動装置のハウジング内に支承される。さらに、別のハウジング部分、たとえばケーブルガイドまたはコネクタ結合部が必要となる。
【０００３】
これまで、自動車装備におけるブロワもしくはファンの電気的な駆動装置は、種々異なる材料から成る多数の個別部分から組み立てられていた。それぞれ個々の構成アッセンブリは電気的な駆動装置の組立て時にその都度別個に供給されなければならない。すなわち、構成アッセンブリ毎に複数のサプライヤが用意されなければならず、さらに、これらの構成アッセンブリの保管および有用性に関するロジスティックスの点で法外が手間がかけられる。種々異なる材料から製作された構成アッセンブリは材料に関連した組立て作業もしくは接合作業を必要とし、このことは付加的な組立てコストを生ぜしめる。複数の機能性に応える支持部分がファンのハウジングまたは別の電気的な機械のハウジングとして複数の別個の構成アッセンブリから製作される場合、より複雑な構成部分の場合にはインタフェースにおける整合問題が生ぜしめられる恐れがある。なぜならば、最終組立て時に初めて全ての構成アッセンブリ全体が統合されるからである。
【０００４】
各構成アッセンブリはそれ自体、十分に公差を維持して行われるそれぞれ別個の製作ステップもしくは加工ステップで製作される。しかし、極めて不都合な事例では、最終組立て時に極端に不都合な公差が加算されてしまう恐れがあるので、個々の構成アッセンブリインタフェースにおいて上で述べた整合問題が生じる危険がある。
【０００５】
発明の開示
本発明による解決手段を用いて得られる利点はとりわけ次の点に認められる。すなわち、自動車領域で使用するためのブロワもしくはファンの電気的な機械または電気的な駆動装置の１つの共通の支持部分を製造する場合に、複数の機能範囲が任意の組合せおよび任意の組込み段で製造可能となる。１つの共通の支持部分に実現される４つの基本的な機能範囲は、「電流供給部（内部および外部）」と「ステータ磁界発生部」と「支承部」と「ハウジング付加部」とによって細かく分類され得る。
【０００６】
共通の支持部分は形状付与もしくは成形による製造プロセス、たとえば金属ダイカスト、プラスチック射出成形または金属薄板加工で製造されると有利である。共通の支持部分を製造するためには、ほぼ任意の成形プロセス（切削加工または非切削加工）を使用することができる。プラスチック射出成形法では、プラスチック射出成形機における射出成形工具の交換に応じて、共通の支持部分における４種の基本的な機能範囲のコンポーネントの実現に関する任意の組込み段で共通の支持部分を製造することができる。
【０００７】
共通の支持部分に形成され得る前記機能範囲は、「電流供給部」、「ステータ磁界発生部」、「支承部」ならびに「ハウジング付加部」である。
【０００８】
電流供給部（内部および外部）は、たとえばブラシレスモータ用のＥＣ電子回路、ブラシ整流されるモータのブラシおよび妨害防止エレメントのようなコンポーネントを包含している。ブラシ整流されるモータのブラシは、共通の支持部分に組み込まれている矢筒形のブラシホルダ内に収容され得る。外部の電流供給部分のコンポーネントとしては、電源接続部またはコネクタアウトレットが挙げられる。
【０００９】
たとえば磁石または励磁コイル、磁束リング等のようなステータ磁界発生コンポーネントの固定は、共通の支持部分において保持エレメントによって行われる。これらの保持エレメントは、上で挙げたステータ磁界発生のための構成部分を共通の支持部分に位置固定することを可能にする。磁束リングは別個のリングとして、またはステータ磁界発生コンポーネントに被さるポット形のエレメントに固定されていてよい。ステータ磁界発生部は同じく機能範囲を成している。
【００１０】
共通の支持部分内のさらに別の機能範囲、つまり機能範囲「支承部」は、共通の支持部分に組み込まれた支承エレメントにより実現される。この支承エレメントのためには、共通の支持部分の製作時にこの共通の支持部分に軸受け座部を設けることができる。この場合、軸受けは直接に共通の支持部分によって保持されていてもよいし、付加的な構成エレメント、たとえば軸受けブラシホルダまたはばね板あるいは別の位置固定エレメントを介して共通の支持部分に組み付けられていてもよい。
【００１１】
共通の支持部分に実現され得るさらに別の機能は、「ハウジング付加部」である。「ハウジング付加部」には、たとえばファンにおける空気案内部（流入ホッパ形のベンチュリ）または上位のシステムに対する保持装置、たとえばラジエータモジュールのシュラウド（Ｚａｒｇｅ）が包含可能である。共通の支持部分における上位のシステムに対する保持装置は、たとえば内燃機関のためのラジエータモジュールに設けられたインサートファン（Ｅｉｎｓａｔｚｇｅｂｌａｅｓｅ）としてのリングシュラウドに対する結合部に位置していてよい。
【００１２】
選択された組込み段に応じて準備される共通の支持部分により収容されるべきコンポーネントは、共通の支持部分に係止、圧入によるプレス嵌めまたは接着固定あるいはまたねじ締結により固定され得る。
【００１３】
共通の支持部分は自動車装備において、たとえば電気的な駆動装置、アクチュエータ用駆動装置、ウォータポンプまたはステアリング補助ポンプの範囲で、あるいはまた自動車または実用車における内燃機関のラジエータモジュールにおけるインサートファンハウジングとしても使用される。
【００１４】
以下に、本発明の実施例を図面につき詳しく説明する。
【００１５】
実施例
電気的な取付け器具のための、４種の基本的な機能範囲を提供する共通の支持部分のためには、以下に表にまとめられた各組込み段が選択される：
【００１６】
【表１】
2004537249.tif 000003
【００１７】
上に記載した表では、それぞれ１つの組込み段を表す図面が年代順に記載されている。
【００１８】
種々の組込み段深さで構成可能な共通の支持部分３は、形状付与もしくは成形による製作プロセス、たとえば金属ダイカスト法、プラスチック射出成形法または金属薄板加工法で製造される。上記表に示したように共通の支持体３に任意の組合せで組み込むことのできる個々のコンポーネントもしくは機能について、以下に簡単に説明する。
【００１９】
共通の支持部分３において、上記表に示した第１の機能範囲「電流供給部」には、ブラシレスモータの電子装置を固定するために働くスナップフック１４ならびにブラシ整流される電動モータにおいてブラシを収容するために働く矢筒形のブラシホルダ１５を包含することができる。その他に、共通の支持部分３に組込み可能であるこれらの収容エレメント１４，１５（スナップフック１４およびブラシホルダ１５）には、電源接続部またはコネクタアウトレット２６または共通の支持部分３の内部に設けられた妨害防止エレメントを対応させることができる。収容エレメント１４，１５は内部の電流供給部分のために働き、それに対して電源接続部またはコネクタアウトレット２６は、共通の支持部分３に収容された電気的な駆動装置に対する外部の電流供給部分に対応し得る。矢筒形のブラシホルダ１５は共通の支持部分３に一体成形されていてもよいし、共通の支持部分３の底範囲２に設けられた軸受け座部２３の周囲に形成されてもよい。その他に、ブラシを収容するための矢筒形のブラシホルダ１５を、一体射出成形された成形部品として形成することも、別個の個別構成部品として構成することも可能である。別個の個別構成部品の場合には、組付けおよび位置調整が終了した後にブラシが装備される。
【００２０】
共通の支持部分３における、機能範囲「ステータ磁界発生部」に包含可能となるコンポーネントは、たとえば磁界発生コンポーネント１０、たとえば磁石、励磁コイル、磁束リング（Ｆｌｕｓｓｒｉｎｇ）またはこれに類するもののための保持エレメント１２，１３または保持突出部を有していてよい。これらのコンポーネントを用いて、共通の支持部分３の対称軸線１に対してほぼ平行に磁界発生コンポーネント１０の軸方向位置固定を行うことができる。
【００２１】
上記表の機能範囲「支承部」には、支承コンポーネント、たとえば転がり軸受け、滑り軸受け、プラスチック回転ブシュ、軸受けホルダ、ばね板等が包含可能である。これらの支承コンポーネントは共通の支持部分３の底範囲２に設けられた軸受け座部５内に圧入されるか、係止されるか、ねじ締結されるか、またはこの軸受け座部５と接着され得る。これらの支承コンポーネントは電気的な取付け器具の共通の支持部分３内に電動モータの回転部分を収容するために働く。また、特に電子的に整流される「ブラシレスモータ」あるいはまた、ロータがステータ（この場合には共通の支持部分３）を取り囲んで位置するような類似の構造コンセプトのための組込み段として、ロータを支持する支承ピンをステータに、つまりこの場合には共通の支持部分３に、一体に成形するか、もしくは一体に射出成形することも可能である。
【００２２】
上記表の機能範囲「ハウジング付加部」には、やはり共通の支持部分３に設けることのできる付加的な機能エレメントが包含されている。この場合、付加的な機能エレメントとは、たとえばファンにおける空気案内部（エアベンチュリ）または上位のシステムに固定するための保持装置、たとえば乗用車の使用領域であれ、貨物自動車の使用領域であれ、エアスクープ（Ｈｕｔｚｅ）とも呼ばれる自動車のラジエータに用いられるインサートファンにおけるリングシュラウド（Ｒｉｎｇｚａｒｇｅ）である。
【００２３】
図１には、機能範囲「電流供給部」および「ステータ磁界発生部」のための収容コンポーネントを備えた共通の支持構成部分が示されている。
【００２４】
機能範囲「電流供給部」に対応し得る機能エレメント、たとえば炭素ブラシを収容するための矢筒形のブラシホルダ１５は、共通の支持部分３の底範囲２に形成されている。炭素ブラシを収容するための矢筒形のブラシホルダ１５は対称軸線１を中心にして、使用される電気的な駆動装置の磁極数により規定された角度ずれを持って配置され得る。その他に、機能範囲「電流供給部」には、スナップフック１４を対応させることができる。このスナップフック１４は妨害防止エレメント１７、たとえばチョークまたはコンデンサを取り囲んでいる。その他に、機能範囲「電流供給部」は、ケーブルコネクタまたは電源接続部として形成された結合エレメント２６の形の外部の電流供給部をも有している。機能範囲「ステータ磁界発生部」は図１にはクリップ１２により実現されている。このクリップ１２には、係止突起１３または皮むき刃の形をした係止リブ（Ｓｃｈａｅｌｒｉｐｐｅ）が対応していてよい。これらの収容エレメントはステータ磁界発生コンポーネント１０、たとえば磁石、励磁コイル、磁束リングまたはこれに類するものを軸方向で位置固定するために働く。共通の支持部分３は、十分に可変に保持され得る軸方向の構成長さ２１で形成されていてよい。さらに、共通の支持部分３の直径も組込み事例に応じて自在に形成され得る。
【００２５】
図２には、機能範囲「電流供給部」および「支承部」のための収容エレメントを備えた共通の支持部分３が示されている。
【００２６】
図２に示した、共通の支持部分３の組込み段では、コンポーネント１５，１４，２６を有する機能範囲「電流供給部」に対して付加的に、共通の支持部分３の底範囲２に機能範囲「支承部」が組み込まれている。機能範囲「支承部」は軸受け座部５，２３を有しており、この軸受け座部５，２３内には、軸受け体４が収容されている。軸受け体４は転がり軸受けまたは滑り軸受けとして形成されていてよい。その場合、この転がり軸受けまたは滑り軸受けは共通の支持部分３の軸受け座部２３内に圧入されてプレス嵌めされているか、または接着固定されているか、あるいはまた締付け固定されていてもよい。この組込み段は使用事例に応じて軸方向の種々の構成長さ２０で形成されていると共に、種々の直径で形成されていてもよい。
【００２７】
図３には、機能範囲「電流供給部」および「ハウジング付加部」のための収容エレメントを備えた共通の支持部分３が示されている。
【００２８】
この組込み段により共通の支持部分３に形成された機能範囲「電流供給部」の他に、この実施例では、機能範囲「ハウジング付加部」も実現されている。この実施例により形成された共通の支持部分３は、エアスクープもしくはシュラウド６によって、たとえばラジエータモジュールに結合されると有利である。この場合、共通の支持部分３内には、ラジエータファンを駆動する電動モータを収容することができる。図３に示した、共通の支持部分３の環状面７内には、ステータ磁界発生コンポーネント１０のうちの１つのコンポーネントを成す磁束リングを嵌め込むことができる。
【００２９】
図４に示した共通の支持部分３では、機能範囲「ステータ磁界発生部」および「支承部」が形成されている。
【００３０】
図４に示した共通の支持部分３の内面には、選択的に配置可能な係止突起１３を備えたクリップ１２が形成されている。さらに、共通の支持部分３の底範囲２には、軸受け体４が鋳造時もしくは射出成形時に埋め込まれているか、係止されているか、接着されているか、または圧入されている。軸受け体４は共通の支持部分３内で軸受け座部５，２３によって取り囲まれる。中空室１８により、共通の支持部分３内には、図４に示していない、電動モータのアーマチュアが収容される。
【００３１】
図５には、機能範囲「ステータ磁界発生部」および「ハウジング付加部」を備えた共通の支持部分３が示されている。
【００３２】
共通の支持部分３の内部には、図４に示した実施例と同様に、クリップ１２が鋳造時または射出成形時に一体成形されている。これらのクリップ１２の半径方向内側に位置する端部は、突出した係止突起１３または皮むき刃形の係止リブを備えており、これによりステータ磁界発生コンポーネント１０、たとえば永久磁石または励磁コイルが軸方向で位置固定される。図５に示した実施例では、共通の支持部分３の外面にラジエータモジュールのためのエアスクープもしくはシュラウド６を一体に射出成形することができる。これにより、この共通の支持部分３は、自動車の内燃機関で使用することのできるラジエータモジュール内に組み込まれる。
【００３３】
図６には、機能範囲「支承部」および「ハウジング付加部」を備えた共通の支持部分３が示されている。
【００３４】
機能範囲「ハウジング付加部」は上位のシステムに対する結合部としてエアスクープもしくはシュラウド６の形で形成されている。それに対して、機能範囲「支承部」は軸受け体４により実現されており、この軸受け体４は共通の支持部分３の底範囲２に設けられた軸受け座部５内に嵌め込まれている。底範囲２の肉厚さは符号２．１で示されている。図６に示した実施例による共通の支持部分３は軸方向の構成長さ２０で形成されており、この構成長さ２１はもちろん可変である。
【００３５】
図７には、機能範囲「電流供給部」、「ステータ磁界発生部」および「支承部」を有する共通の支持部分３が示されている。
【００３６】
機能範囲「電流供給部」は、炭素ブラシが導入されるべき矢筒形のブラシホルダ１５として形成されたコンポーネントと、スナップフック１４とにより実現されている。スナップフック１４は、たとえばチョークまたはコンデンサのような妨害防止エレメント１７を収容するために働く。上で挙げた各コンポーネントは、内部の電流供給部分に対応し得る。それに対して、ケーブルコネクタまたは電源接続部２６は共通の支持部分３内に収容された電動モータの外部の電流供給部分として働く。機能範囲「ステータ磁界発生部」は、クリップ１２と、これらのクリップ１２に選択的に配置可能となる係止突起１３とにより形成されている。これらのクリップ１２は、たとえば永久磁石のようなステータ磁界発生コンポーネント１０を軸方向で位置固定するために働く。共通の支持部分３の底範囲２には、機能範囲「支承部」を実現するために軸受け体４が組み込まれており、この軸受け体４は軸受け座部５，２３によって取り囲まれている。
【００３７】
図８には、機能範囲「電流供給部」、「ステータ磁界発生部」および「ハウジング付加部」を有する共通の支持部分３が示されている。
【００３８】
機能範囲「電流供給部」はコンポーネント１４，１５（内部の電流供給部分）ならびに電源接続部２６（外部の電流供給部分）により実現されている。この実施例では、機能範囲「ステータ磁界発生部」が、クリップ１２と、これらのクリップ１２に半径方向で配置可能となる係止突起１３とにより実現されている。これらのクリップ１２および係止突起１３は共通の支持部分３の一方の端面から、ステータ磁界発生コンポーネント１０の軸方向長さに相当する間隔１９を置いて配置されていてよい。機能範囲「ハウジング付加部」はエアスクープもしくはシュラウド６により実現されている。このエアスクープもしくはシュラウド６を用いて、共通の支持部分３は、たとえばプラスチック射出成形部品として提供されていてよいラジエータモジュール（十分な大きさでは図示されていない）と結合されていて、このラジエータモジュールに成形時に埋め込まれている。
【００３９】
図９には、機能範囲「電流供給部」、「支承部」および「ハウジング付加部」を有する共通の支持部分３が示されている。
【００４０】
共通の支持部分３の、図９に示した組込み段では、機能範囲「電流供給部」（内部／外部）が、炭素ブラシを収容するための矢筒形のブラシホルダ１５と、スナップフック１４とにより実現されている。スナップフック１４内には、妨害防止エレメント１７が収容される。機能範囲「電流供給部」の外部の電流供給部分はコネクタアウトレット（概略的にのみ示す）または電源接続部２６により示される。機能範囲「ハウジング付加部」はエアスクープもしくはシュラウド６の形に形成されており、このエアスクープもしくはシュラウド６によって、図９に示した実施例による共通の支持部分３はラジエータモジュール（図示しない）に組み込まれていてよい。
【００４１】
図１０には、機能範囲「ステータ磁界発生部」、「支承部」および「ハウジング付加部」を有する共通の支持部分３が示されている。
【００４２】
共通の支持部分３のこの組込み段では、機能範囲「ステータ磁界発生部」がクリップ１２と、これらのクリップ１２に選択的に形成可能となる係止突起１３とにより形成されている。クリップ１２および係止突起１３は共通の支持部分３の内部で、使用される電気的な駆動装置の極数により生ぜしめられる角度で互いにずらされて形成され得る。ステータ磁界発生コンポーネント１０、たとえば磁石、励磁コイル、磁束リングまたはこれに類するものを収容するクリップ１２は、共通の支持部分３の一方の端面から、たとえばステータ磁界発生コンポーネント１０の軸方向の構成長さに相当していてよい間隔１９を置いて配置されている。機能範囲「支承部」は軸受け体４により実現されており、この軸受け体４は共通の支持部分３の底範囲２に設けられた軸受け座部５，２３内に収容されている。共通の支持部分３の、図１０に示した組込み段における機能範囲「ハウジング付加部」は、エアスクープもしくはシュラウド６またはエアベンチュリの形で設けられており、このエアスクープもしくはシュラウド６またはエアベンチュリを用いて、共通の支持部分３は付加的な別の結合コンポーネントなしで内燃機関のためのラジエータモジュールに組み込まれていてよい。
【００４３】
図１１には、機能範囲「電流供給部」、「ステータ磁界発生部」、「支承部」および「ハウジング付加部」を有する共通の支持部分３の最高組込み段が示されている。
【００４４】
図１１に示した共通の支持部分３は、ダイカスト法、プラスチック射出成形法ならびに金属薄板加工・変形加工法により製造され得る。ほぼ円筒状に形成された共通の支持部分３の外周面には、エアスクープ６（またはリングシュラウド）が一体に鋳造されているか、または一体に射出成形されている。このエアスクープもしくはシュラウド６に設けられた取付け用開口は共通の支持部分３を、図１１には図示されていない別の構成コンポーネントに取り付けることを可能にする。中空室１８の内面でエアスクープもしくはシュラウド６と背中合わせに位置するように、クリップ１２が共通の支持部分３に組み込まれている。このクリップ１２はステータ磁界発生コンポーネント１０を軸方向および半径方向で位置固定するために働く。突起状に形成されたクリップ１２の代わりに、軸方向に向けられた皮むき刃形の係止リブまたはステータ磁界発生コンポーネント１０のための別の固定用エレメントを、共通の支持部分３内に設けることもできる。ステータ磁界発生コンポーネント１０は軸方向の構成長さ１９で形成されていてよく、そして共通の支持部分３によって完全に取り囲まれていてよい。また、ステータ磁界発生コンポーネント１０をこれよりも短く形成することも可能である。
【００４５】
図１１に示した実施例による共通の支持部分３の底範囲２は複数の平面（階層）で形成されていて、滑り軸受けであれ、転がり軸受けであれ、軸受け体４を取り囲む軸受け座部５；２３を有していてよい。これらのコンポーネントにより、機能範囲「支承部」が実現されている。
【００４６】
共通の支持部分３の対称軸線１に対して直角に、炭素ブラシを収容するための矢筒形のブラシホルダ１５が形成されている。ブラシホルダ１５に並んで、スナップフック１４が設けられており、これらのスナップフック１４は共通の支持部分３の底範囲２に一体に鋳造されているか、または一体に射出成形されていてよい。矢筒形のブラシホルダ１５内には、ブラシ整流される電動モータのブラシを収納することができる。両コンポーネント、つまりスナップフック１４およびブラシホルダ１５により、機能範囲「電流供給部」、厳密に言えば内部の電流供給部分が実現されている。
【００４７】
同じく機能範囲「電流供給部」に加えられ得る外部の電流供給部分は、概略的に図示した電源接続部またはコネクタアウトレット２６により示されている。
【００４８】
機能範囲「支承部」は図１１に示した最高組込み段では、共通の支持部分３の底範囲２に設けられた軸受け座部５，２３により実現されている。この軸受け座部５，２３内には、軸受け体４が圧入されているか、締付け固定されているか、またはかしめ固定されている。
【００４９】
機能範囲「ステータ磁界発生部」は共通の支持部分３の内部で中空室１８の仕切り壁に一体に鋳造または射出成形されたクリップ１２と、これらのクリップ１２に選択的に形成可能である係止突起１３または皮むき刃形の係止リブとにより実現されている。共通の支持部分３の内部に位置するこれらの収容コンポーネントは、共通の支持部分３の内部でステータ磁界発生のための磁界発生コンポーネント１０を位置固定する。磁界発生コンポーネント１０は、永久磁石であっても、磁石であっても、コイル巻き体であっても、励磁コイルであってもよい。要求に応じてフレキシブル、つまり自在であってよい共通の支持部分３の軸方向の構成長さに応じて、共通の支持部分３の内部には、種々異なる軸方向構成長さ１９の磁界発生コンポーネント１０を収容することができる。中空室１８は、共通の支持部分３の内部に電動モータのアーマチュア（図示しない）を収容するために役立つ。
【００５０】
機能範囲「ハウジング付加部」は図１１の最高組込み段では、エアスクープもしくはシュラウド６もしくはエアベンチュリにより実現されている。このエアスクープもしくはシュラウド６もしくはエアベンチュリを用いて、共通の支持部分３をラジエータモジュール（完全には図示していない）またはポンプハウジング、たとえば自動車領域におけるウォータポンプのポンプハウジングに組み込むことができる。
【００５１】
図１〜図１１に関連して図示した、１回の形状付与プロセスにより形成された共通の支持部分３の複数の機能性の組込みにより、複数のコンポーネントおよび機能を任意の組合せで共通の支持部分３に組み込むことができる。特にロータがステータを取り囲んでいるような電子的に整流されるモータ、つまりブラシレスモータにおいて、共通の支持部分３が、形状付与もしくは成形による製造法、たとえば金属ダイカスト法またはプラスチック射出成形法によって製作されると、共通の支持部分３において特にロータのための支承ピンをハウジングに直接に設けることができる。
【図面の簡単な説明】
【図１】
機能範囲「電流供給部」および「ステータ磁界発生部」を備えた共通の支持部分を示す断面図である。
【図２】
機能範囲「電流供給部」および「支承部」を備えた共通の支持部分を示す断面図である。
【図３】
機能範囲「電流供給部」および「ハウジング付加部」を備えた共通の支持部分を示す断面図である。
【図４】
機能範囲「ステータ磁界発生部」および「支承部」を備えた共通の支持部分を示す断面図である。
【図５】
機能範囲「ステータ磁界発生部」および「ハウジング付加部」を備えた共通の支持部分を示す断面図である。
【図６】
機能範囲「支承部」および「ハウジング付加部」を備えた共通の支持部分を示す断面図である。
【図７】
機能範囲「電流供給部」、「ステータ磁界発生部」および「支承部」を備えた共通の支持部分を示す断面図である。
【図８】
機能範囲「電流供給部」、「ステータ磁界発生部」および「ハウジング付加部」を備えた共通の支持部分を示す断面図である。
【図９】
機能範囲「電流供給部」、「支承部」および「ハウジング付加部」を備えた共通の支持部分を示す断面図である。
【図１０】
機能範囲「ステータ磁界発生部、「支承部」および「ハウジング付加部」を備えた共通の支持部分を示す断面図である。
【図１１】
機能範囲「電流供給部」、「ステータ磁界発生部、「支承部」および「ハウジング付加部」を備えた共通の支持部分の最高組込み段を示す断面図である。
【符号の説明】
１  対称軸線
２  底範囲
２．１  第１の肉厚さ
２．２  第２の肉厚さ
３  共通の支持部分
４  軸受け体
５  軸受け座部
６  エアスクープもしくはシュラウド
７  環状面
１０  磁界発生コンポーネント（永久磁石、コイル巻き体）
１２  クリップ
１３  係止突起、皮むき刃形の係止リブ
１４  スナップフック
１５  ブラシホルダ
１７  妨害防止エレメント（チョーク、コンデンサ）
１８  中空室（アーマチュア用）
１９  巻き体長さ、磁石長さ
２０  第１の構成高さ
２１  別の構成高さ
２３  軸受け座部
２６  電流供給部分（電源接続部、コネクタアウトレット）
【国際公開パンフレット】
2004537249.tif 000004
2004537249.tif 000005
2004537249.tif 000006
2004537249.tif 000007
2004537249.tif 000008
2004537249.tif 000009
2004537249.tif 000010
2004537249.tif 000011
2004537249.tif 000012
2004537249.tif 000013
2004537249.tif 000014
2004537249.tif 000015
2004537249.tif 000016
2004537249.tif 000017
2004537249.tif 000018
2004537249.tif 000019
2004537249.tif 000020
2004537249.tif 000021
2004537249.tif 000022
2004537249.tif 000023
【国際調査報告】
2004537249.tif 000024
2004537249.tif 000025
2004537249.tif 000026
2004537249.tif 000027
2004537249.tif 000028
2004537249.tif 000029